(57)【要約】【課題】湯張り動作時には上水に含まれる添加物の除去を行うとともに、洗浄動作時には上水に含まれる添加物の除去を行わないことが可能な温水装置を提供する。【解決手段】温水装置は、循環管路と、給湯管路と、循環管路と給湯管路とを接続する注湯管路と、制御部とを備える。注湯管路は、流路切替弁と、第１管路と、第２管路と、第３管路とを有している。第１管路は、一方端において給湯管路に接続され、他方端において流路切替弁に接続されている。第２管路は、一方端において流路切替弁に接続され、他方端において循環管路に接続されている。第３管路は、一方端において流路切替弁に接続され、他方端において第１管路及び第２管路のいずれかに接続されている。第３管路は、フィルタ部を含んでいる。制御部は、湯張り動作を行う際には流路切替弁を第１状態に制御し、循環管路の洗浄動作を行う際には流路切替弁を第２状態に制御する。【選択図】図１
2020106167.tif 000002
【特許請求の範囲】
【請求項１】
浴槽に接続されている循環管路と、
添加物を含有する上水の供給を行う給湯管路と、
前記循環管路と前記給湯管路とを接続する注湯管路と、
制御部とを備え、
前記注湯管路は、流路切替弁と、一方端において前記給湯管路に接続されているとともに、他方端において前記流路切替弁に接続されている第１管路と、一方端において前記流路切替弁に接続されているとともに、他方端において前記循環管路に接続されている第２管路と、一方端において前記流路切替弁に接続されているとともに、他方端において前記第１管路及び前記第２管路のいずれかに接続されている第３管路とを有しており、
前記第３管路は、前記添加物を前記上水から除去するフィルタ部を含んでおり、
前記流路切替弁は、前記第１管路を流れる前記上水が前記第３管路を介して前記第２管路へと流れる第１状態と前記第１管路を流れる前記上水が前記第３管路を介さずに前記第２管路へと流れる第２状態との間で切り替え可能に構成されており、
前記制御部は、前記注湯管路及び前記循環管路を介して前記浴槽へ前記上水を供給する湯張り動作を行う際には前記流路切替弁を前記第１状態に制御するとともに、前記注湯管路を介して前記上水を供給して前記循環管路の洗浄動作を行う際には前記流路切替弁を前記第２状態に制御するように構成されている、温水装置。
【請求項２】
前記添加物は、塩素である、請求項１に記載の温水装置。
【請求項３】
前記第３管路の前記他方端は、前記第２管路に接続されている、請求項１又は請求項２に記載の温水装置。
【請求項４】
前記第３管路は、前記フィルタ部よりも下流側に配置された逆止弁を含んでいる、請求項３に記載の温水装置。
【請求項５】
前記第３管路の前記他方端は、前記第１管路に接続されている、請求項１又は請求項２に記載の温水装置。
【請求項６】
前記注湯管路は、前記第１管路を流れる前記上水の流量を測定する流量センサをさらに有しており、
前記湯張り動作時の前記流量の累積値が第１閾値以上となった場合に、前記制御部は、以後の前記湯張り動作を行う際に、前記流路切替弁を前記第２状態に制御するように構成されている、請求項１〜請求項５のいずれか１項に記載の温水装置。
【請求項７】
初回の前記湯張り動作が行われた後に経過した第１時間が第２閾値以上となった場合、前記制御部は、以後の前記湯張り動作を行う際に、前記流路切替弁を前記第２状態に制御するように構成されている、請求項１〜請求項５のいずれか１項に記載の温水装置。
【請求項８】
前記注湯管路は、前記第１管路を流れる前記上水の流量を測定する流量センサをさらに有しており、
直近に行われた前記湯張り動作時の前記流量を直近に行われた前記洗浄動作時の前記流量で除した値が第３閾値以下となった場合、前記制御部は、以後の前記湯張り動作を行う際に、前記流路切替弁を前記第２状態に制御するように構成されている、請求項１〜請求項５のいずれか１項に記載の温水装置。
【請求項９】
前記注湯管路は、前記第１管路を流れる前記上水の流量を測定する流量センサをさらに有しており、
直近の前記湯張り動作時の前記流量を初回の前記湯張り動作時の前記流量で除した値が第４閾値以下となった場合、前記制御部は、以後の前記湯張り動作を行う際に、前記流路切替弁を前記第２状態に制御するように構成されている、請求項１〜請求項５のいずれか１項に記載の温水装置。
【請求項１０】
前記湯張り動作時に前記上水から前記添加物を除去しないとの使用者からの指示を受け付け可能に構成された操作部をさらに備え、
前記操作部が前記指示を受け付けた場合、前記制御部は、以後の前記湯張り動作を行う際、前記流路切替弁を前記第２状態に制御するように構成されている、請求項１〜請求項３のいずれか１項に記載の温水装置。
【請求項１１】
前記フィルタ部は、吸着剤として活性炭を含んでいるフィルタである、請求項１〜請求項１０のいずれか１項に記載の温水装置。
【請求項１２】
前記注湯管路は、銀イオンを発生させる銀イオン発生器をさらに有しており、
前記銀イオン発生器は、前記フィルタ部よりも上流側に配置されている、請求項１〜請求項１１のいずれか１項に記載の温水装置。
【請求項１３】
前記制御部は、前記湯張り動作が所定回数行われるごとに前記銀イオン発生器を動作させるように構成されている、請求項１２に記載の温水装置。
【請求項１４】
前記制御部は、直近の前記銀イオン発生器の動作から第２時間が経過した後に前記銀イオン発生器を再動作させるように構成されている、請求項１２に記載の温水装置。
【発明の詳細な説明】
【技術分野】
【０００１】
本発明は、温水装置に関する。
【背景技術】
【０００２】
特許文献１（特許第３５５９３５０号公報）には、浴水循環装置が開示されている。特許文献１に記載の浴水循環装置は、循環路と、循環流路と、脱塩素フィルタと、第１弁及び第２弁とを有している。
【０００３】
循環路は、浴槽に貯留されている浴槽水を吸入し、浴槽水を再び浴槽へと再び戻す。循環流路は、一方端及び他方端において、循環路に接続されている。脱塩素フィルタは、循環流路上に配置されている。第１弁は、脱塩素フィルタよりも上流側において循環流路上に配置されている。第２弁は、循環流路の一方端及び循環路の接続部と循環流路の他方端及び循環路の接続部との間において循環路上に配置されている。
【０００４】
浴槽水中の塩素を除去する際には、第１弁が開状態とされるとともに、第２弁が閉状態とされる。これにより、浴槽水が循環流路を流れ、浴槽水中の塩素が脱塩素フィルタにより除去される。
【先行技術文献】
【特許文献】
【０００５】
【特許文献１】特許第３５５９３５０号公報
【発明の概要】
【発明が解決しようとする課題】
【０００６】
上記のとおり、特許文献１に記載の浴水循環装置においては、追い焚き動作時に浴槽水中の塩素を除去することは可能である。しかしながら、特許文献１には、湯張り動作時に上水に含まれている添加物（塩素等）を除去することに関する開示はなされていない。また、上水に含まれる添加物の除去を常に行う場合、上水を用いて各配管の洗浄を行う際に支障が生じる場合がある。
【０００７】
本発明は、上記のような従来技術の問題点に鑑みてなされたものである。より具体的には、本発明は、湯張り動作時には上水に含まれる添加物の除去を行うとともに、洗浄動作時には上水に含まれる添加物の除去を行わないことが可能な温水装置を提供する。
【課題を解決するための手段】
【０００８】
本発明の一態様に係る温水装置は、浴槽に接続されている循環管路と、添加物を含有する上水の供給を行う給湯管路と、循環管路と給湯管路とを接続する注湯管路と、制御部とを備える。注湯管路は、流路切替弁と、第１管路と、第２管路と、第３管路とを有している。第１管路は、一方端において給湯管路に接続されているとともに、他方端において流路切替弁に接続されている。第２管路は、一方端において流路切替弁に接続されているとともに、他方端において循環管路に接続されている。第３管路は、一方端において流路切替弁に接続されているとともに、他方端において第１管路及び第２管路のいずれかに接続されている。第３管路は、添加物を上水から除去するフィルタ部を含んでいる。流路切替弁は、第１管路を流れる上水が第３管路を介して第２管路へと流れる第１状態と第１管路を流れる上水が第３管路を介さずに第２管路へと流れる第２状態との間で切り替え可能に構成されている。制御部は、注湯管路及び循環管路を介して浴槽へ上水を供給する湯張り動作を行う際には流路切替弁を第１状態に制御するとともに、注湯管路を介して上水を供給して循環管路の洗浄動作を行う際には流路切替弁を第２状態に制御するように構成されている。
【０００９】
上記の温水装置によると、制御部が湯張り動作時に流路切替弁を第１状態に制御するため、湯張り動作時には、上水に含まれる添加物が除去され、浴槽には添加物が除去された上水が供給される。他方で、上記の温水装置によると、制御部が洗浄動作時に流路切替弁を第２状態に制御するため、洗浄動作時には、上水に含まれる添加物が除去されず、洗浄動作が添加物の除去されていない上水により行われる。
【００１０】
上記の温水洗浄装置において、上水の添加物は、塩素であってもよい。この場合、浴槽に塩素が除去された上水により湯張りを行うことができるとともに、塩素が除去されていない上水での洗浄動作により洗浄効果を高めることができる。
【００１１】
上記の温水装置において、第３管路の他方端は、第２管路に接続されていてもよい。
上記の温水装置において、第３管路は、フィルタ部よりも下流側に配置された逆止弁を含んでいてもよい。
【００１２】
上記の温水装置において、第３管路の他方端は、第１管路に接続されていてもよい。
上記の温水装置において、注湯管路は、第１管路を流れる上水の流量を測定する流量センサをさらに有していてもよい。湯張り動作時の流量の累積値が第１閾値以上となった場合に、制御部は、以後の湯張り動作を行う際に、流路切替弁を第２状態に制御するように構成されていてもよい。
【００１３】
この場合、フィルタ部の詰まりが大きくなり、第３管路を介した湯張り動作が困難になる前に、第３管路を介さない湯張り動作へ切り替えることが可能となる。
【００１４】
上記の温水装置において、制御部は、初回の湯張り動作が行われた後に経過した第１時間が第２閾値以上となった場合、制御部は、以後の湯張り動作を行う際に流路切替弁を第２状態に制御するように構成されていてもよい。
【００１５】
この場合、フィルタ部の詰まりが大きくなり、第３管路を介した湯張り動作が困難になる前に、第３管路を介さない湯張り動作へ切り替えることが可能となる。
【００１６】
上記の温水装置において、注湯管路は、第１管路を流れる上水の流量を測定する流量センサをさらに有していてもよい。直近の湯張り動作時の流量を直近の洗浄動作時の流量で除した値が第３閾値以下となった場合、制御部は、以後の湯張り動作を行う際に、流路切替弁を第２状態に制御するように構成されていてもよい。
【００１７】
この場合、フィルタ部の詰まりが大きくなり、第３管路を介した湯張り動作が困難になる前に、第３管路を介さない湯張り動作へ切り替えることが可能となる。
【００１８】
上記の温水装置において、注湯管路は、第１管路を流れる上水の流量を測定する流量センサをさらに有していてもよい。直近の湯張り動作時の流量を初回の湯張り動作時の流量で除した値が第４閾値以下となった場合、制御部は、以後の湯張り動作を行う際に、流路切替弁を第２状態に制御するように構成されていてもよい。
【００１９】
この場合、フィルタ部の詰まりが大きくなり、第３管路を介した湯張り動作が困難になる前に、第３管路を介さない湯張り動作へ切り替えることが可能となる。
【００２０】
上記の温水装置は、湯張り動作時に上水から添加物を除去しないとの使用者からの指示を受け付け可能に構成された操作部をさらに備えていてもよい。操作部が指示を受け付けた場合、制御部は、以後の湯張り動作を行う際、流路切替弁を第２状態に制御するように構成されていてもよい。
【００２１】
この場合、使用者の嗜好に基づいて、添加物が除去された上水を浴槽に供給するか否かを決定することができる。
【００２２】
上記の温水装置において、フィルタ部は、吸着剤として活性炭を含んでいるフィルタであってもよい。
【００２３】
上記の温水装置において、注湯管路は、さらに、銀イオンを発生させる銀イオン発生器を有していてもよい。銀イオン発生器は、フィルタ部よりも上流側に配置されていてもよい。
【００２４】
この場合、銀イオン発生器からの銀イオンにより、フィルタ部周辺における雑菌の繁殖を抑制することができる。
【００２５】
上記の温水装置において、制御部は、湯張り動作が所定回数行われるごとに銀イオン発生器を動作させるように構成されていてもよい。
【００２６】
銀イオン発生器の動作頻度を増やすと、フィルタ部周辺における雑菌の繁殖を抑制しやすいが、銀イオンによりフィルタ部の性能が低下しやすくなり、フィルタ部の寿命が相対的に短くなるおそれがある。そのため、この場合には、湯張り動作が所定回数行われるごとに銀イオン発生器を動作させることにより、フィルタ部周辺における雑菌の繁殖を抑制しつつ、フィルタ部の寿命の劣化を抑制することができる。
【００２７】
上記の温水装置において、制御部は、直近の銀イオン発生器の動作から第２時間が経過した後に銀イオン発生器を再動作させるように構成されていてもよい。
【００２８】
銀イオン発生器の動作頻度を増やすと、フィルタ部周辺における雑菌の繁殖を抑制しやすいが、銀イオンがフィルタ部に詰まりやすくなり、フィルタ部の寿命が相対的に短くなるおそれがある。そのため、この場合には、直近の銀イオン発生器の動作から第２時間が経過した後に銀イオン発生器を再動作させることにより、フィルタ部周辺における雑菌の繁殖を抑制しつつ、フィルタ部の寿命の劣化を抑制することができる。
【発明の効果】
【００２９】
本発明の一態様に係る温水装置によると、湯張り動作時には上水に含まれる添加物の除去を行うとともに、洗浄動作時には上水に含まれる添加物の除去を行わないことが可能となる。
【図面の簡単な説明】
【００３０】
【図１】第１実施形態に係る温水装置の模式図である。
【図２】第１実施形態の変形例に係る温水装置の模式図である。
【図３】第２実施形態に係る温水装置の模式図である。
【発明を実施するための形態】
【００３１】
実施形態の詳細を、図面を参照しながら説明する。以下の図面においては、同一又は相当する部分に同一の参照符号を付し、重複する説明は繰り返さない。
【００３２】
（第１実施形態）
第１実施形態に係る温水装置についての説明を行う。
【００３３】
＜第１実施形態に係る温水装置の構成＞
以下に、第１実施形態に係る温水装置の構成を説明する。
【００３４】
図１に示されるように、第１実施形態に係る温水装置は、循環管路１０と、給湯管路２０と、注湯管路３０と、制御部４０と、操作部５０を有している。
【００３５】
［循環管路の構成］
循環管路１０は、配管１１ａと、配管１１ｂと、熱交換器１２と、バーナ１３とを有している。配管１１ａは、一方端において配管６１ａに接続されている。配管６１ａは、浴槽６に設置された循環アダプタ６２に接続されている。配管１１ａは、他方端において熱交換器１２に接続されている。配管１１ｂは、一方端において熱交換器１２に接続されている。配管１１ｂは、他方端において配管６１ｂに接続されている。配管６１ｂは、循環アダプタ６２に接続されている。すなわち、循環管路１０は、浴槽６に接続されている。
【００３６】
熱交換器１２は、バーナ１３において発生した燃焼ガスとの間で熱交換を行う。熱交換器１２は、例えばフィンアンドチューブ式の熱交換器である。バーナ１３は、例えばブンゼンバーナである。ポンプ１４は、湯水を図１中の矢印方向に沿って循環させる。ポンプ１４は、例えば、配管１１ａの経路上に配置されている。
【００３７】
［給湯管路の構成］
給湯管路２０は、配管２１ａと、配管２１ｂと、熱交換器２２と、バーナ２３とを有している。配管２１ａは、一方端において上水道に接続されている。配管２１ａは、他方端において、熱交換器２２に接続されている。配管２１ｂは、一方端において熱交換器２２に接続されている。配管２１ｂの他方端は、カラン等に接続されている。
【００３８】
熱交換器２２は、バーナ２３において発生した燃焼ガスとの間で熱交換を行う。熱交換器２２は、例えばフィンアンドチューブ式の熱交換器である。バーナ２３は、例えばブンゼンバーナである。
【００３９】
［注湯管路の構成］
注湯管路３０は、第１管路３１と、第２管路３２と、第３管路３３と、流路切替弁３４とを有している。注湯管路３０は、循環管路１０と給湯管路２０とを接続している。
【００４０】
第１管路３１は、配管３１ａと、配管３１ｂと、注湯弁３１ｃと、流量センサ３１ｄとを有している。配管３１ａは、一方端において配管２１ａに接続されているとともに、他方端において注湯弁３１ｃに接続されている。配管３１ｂは、一方端において注湯弁３１ｃに接続されているとともに、他方端において流路切替弁３４に接続されている。すなわち、第１管路３１は、一方端において給湯管路２０に接続されているとともに、他方端において流路切替弁３４に接続されている。
【００４１】
注湯弁３１ｃは、例えば電磁弁で構成されている。流量センサ３１ｄは、第１管路３１を流れる上水の流量を測定する。流量センサ３１ｄは、例えば、注湯弁３１ｃに内蔵されている。注湯弁３１ｃ及び流量センサ３１ｄは、制御部４０に接続されている。湯張り動作を行っている際に第１管路３１を流れる上水の流量は、フィルタ部３３ｂの詰まり具合の影響を受けるため、湯張り動作を繰り返すほどに湯張り動作を行っている際に第１管路３１を流れる上水の流量は低下する傾向にある。他方で、洗浄動作を行っている際に第１管路３１に流れる上水の流量は、フィルタ部３３ｂの詰まり具合の影響を受けないため、経時変化が少ない。
【００４２】
第２管路３２は、配管３２ａで構成されている。第２管路３２（配管３２ａ）は、一方端において流路切替弁３４に接続されているとともに、他方端において循環管路１０（配管１１ａ）に接続されている。
【００４３】
第３管路３３は、配管３３ａと、フィルタ部３３ｂと、逆止弁３３ｃを有している。配管３３ａは、一方端において流路切替弁３４に接続されているとともに、他方端において第２管路３２（配管３２ａ）に接続されている。すなわち、第３管路３３は、一方端において流路切替弁３４に接続されているとともに、他方端において第２管路３２に接続されている。
【００４４】
フィルタ部３３ｂは、配管３３ａの経路上に配置されている。フィルタ部３３ｂは、例えば、吸着剤として活性炭を含んでいるフィルタである。フィルタ部３３ｂは、上水に含まれている添加物を除去することが可能である。この添加物は、例えば塩素である。上水中にはゴミ等が含まれているため、湯張り動作を繰り返していくと、ゴミ等によるフィルタ部３３ｂの詰まりが徐々に進行する。逆止弁３３ｃは、フィルタ部３３ｂよりも下流側（他方端に近い側）において配管３３ａの経路上に配置されている。逆止弁３３ｃは、上流側から下流側に向かう方向に沿って湯水を通水させるが、下流側から上流側への湯水の流れを遮断する。
【００４５】
流路切替弁３４は、制御部４０に接続されている。流路切替弁３４は、第１状態と第２状態との間で切り替え可能に構成されている。流路切替弁３４が第１状態にある場合、第１管路３１を流れている上水は、第３管路３３を介して第２管路３２へと流れ、循環管路１０に達する。他方で、流路切替弁３４が第２状態にある場合、第１管路３１を流れている上水は、第３管路３３を介さずに第２管路３２へと流れ、循環管路１０に達する。
【００４６】
このことを別の観点からいえば、流路切替弁３４が第１状態にある場合、不純物が除去された上水が循環管路１０に達し、流路切替弁３４が第２状態にある場合、不純物が除去されていない上水が循環管路１０に達する。
【００４７】
流路切替弁３４は、例えば、ボールバルブ型の三方弁である。ボールバルブ型の三方弁は、制御部４０に接続されたステッピングモータ等で駆動されることにより、第１状態と第２状態との間で切り替えられる。
【００４８】
［制御部の構成］
制御部４０は、例えばマイクロコントローラで構成されている。制御部４０は、記憶部４１と、タイマ部４２とを有している。記憶部４１は、例えば、マイクロコントローラに内蔵されたフラッシュメモリ等である。タイマ部４２は、例えば、マイクロコントローラに内蔵されたタイマ回路である。
【００４９】
記憶部４１には、流量センサ３１ｄにおいて測定された第１管路３１を流れる上水の流量に関するデータが保持される。このデータは、湯張り動作時のデータと洗浄動作時のデータとに区分されて保持される。タイマ部４２においては、初回の湯張り動作が行われた後に経過した時間が計測される。
【００５０】
［操作部の構成］
操作部５０は、温水装置の動作に関する各種の指示を使用者から受け付ける。使用者からの指示の受け付けは、操作部５０に設けられた画面上において、使用者が行おうとする指示の内容に対応した項目を、操作部５０に設けられたボタンを用いて選択・決定することにより行われる。使用者から受け付けることのできる指示には、少なくとも、湯張り動作時に上水から添加物を除去しないとの指示が含まれる。操作部５０は、使用者から受け付けた指示の内容に対応した信号を、制御部４０に対して出力する。
【００５１】
＜第１実施形態に係る温水装置の動作＞
以下に、第１実施形態に係る温水装置の動作を説明する。
【００５２】
［給湯動作］
第１実施形態に係る温水装置において給湯動作が行われる際、上水が、配管２１ａを介して熱交換器２２に供給される。熱交換器２２に供給された上水は、バーナ２３において発生した燃焼ガスとの間で熱交換を行うことにより、温度が上昇する。熱交換器２２を通過した上水は、配管２１ｂの他方端から出湯される。
【００５３】
［追い焚き動作］
第１実施形態に係る温水装置において追い焚き動作が行われる際、循環アダプタ６２の吸入口から、浴槽６に貯留された浴槽水が吸入される。この浴槽水は、配管６１ａ及び配管１１ａを介して、熱交換器１２に供給される。熱交換器１２に供給された浴槽水は、バーナ１３において発生した燃焼ガスとの間で熱交換を行うことにより、温度が上昇する。熱交換器１２を通過した浴槽水は、配管１１ｂ、配管６１ｂ及び循環アダプタ６２の吐出口を介して、浴槽６に戻る。
【００５４】
［湯張り動作］
第１実施形態に係る温水装置において湯張り動作が行われる際、制御部４０により注湯弁３１ｃが開状態とされているとともに、流路切替弁３４が第１状態になっている。そのため、配管２１ｂを流れる上水が、配管３１ａ、注湯弁３１ｃ、配管３１ｂ及び流路切替弁３４（第１管路３１）を介して、配管３３ａ（第３管路３３）に供給される。第３管路３３に供給された上水は、フィルタ部３３ｂにおいて塩素等の添加物が除去された上で第２管路３２（配管３２ａ）へと流れ、配管１１ａ（循環管路１０）に供給される。配管１１ａに供給された上水は、配管６１ａ及び循環アダプタ６２の吐出口を介して浴槽６に供給されるとともに、熱交換器１２、配管１１ｂ、配管６１ｂ及び循環アダプタ６２の吐出口を介して浴槽６に供給される。
【００５５】
制御部４０は、記憶部４１を参照し、初回から直近までの湯張り動作時に第１管路３１に流れた上水の流量の累積値が所定の閾値以上になった場合には、以後の湯張り動作の際に、流路切替弁３４を第２状態となるように制御してもよい。制御部４０は、タイマ部４２を参照し、初回の湯張り動作が行われた後に経過した時間が所定の閾値以上になった場合には、以後の湯張り動作の際に、流路切替弁３４を第２状態となるように制御してもよい。
【００５６】
制御部４０は、記憶部４１を参照し、直近の湯張り動作時に第１管路３１に流れた上水の流量を初回の湯張り動作時に第１管路３１に流れた上水の流量で除した値が所定の閾値以下になった場合には、以後の湯張り動作の際に、流路切替弁３４を第２状態となるように制御してもよい。
【００５７】
制御部４０は、記憶部４１を参照し、直近の湯張り動作時に第１管路３１に流れた上水の流量を直近の洗浄動作時に第１管路３１に流れた上水の流路で除した値が所定の閾値以下となった場合には、以後の湯張り動作の際に、流路切替弁３４を第２状態となるように制御してもよい。
【００５８】
［洗浄動作］
第１実施形態に係る温水装置においては、浴槽６に貯留されている浴槽水が浴槽６から排出されると、洗浄動作が行われる。第１実施形態に係る温水装置において洗浄動作が行われる際、制御部４０により注湯弁３１ｃが開状態とされているとともに、流路切替弁３４が第２状態になっている。そのため、配管２１ｂを流れる上水が、第１管路３１及び第３管路３３を介して、配管１１ａに供給される。すなわち、配管１１ａに供給された上水からは、塩素等の添加物が除去されていない。配管１１ａに供給された上水を配管６１ａ及び循環アダプタ６２の吐出口を介して浴槽６へと流すとともに、配管１１ａに供給された上水を熱交換器１２、配管１１ｂ、配管６１ｂ及び循環アダプタ６２の吐出口を介して浴槽６へと流すことにより、循環管路１０の洗浄が行われる。
【００５９】
＜第１実施形態の変形例に係る温水装置の構成＞
以下に、第１実施形態の変形例に係る温水装置の構成を説明する。ここでは、第１実施形態に係る温水装置の構成と異なる点を主に説明し、重複する説明は繰り返さない。
【００６０】
図２に示されるように、第１実施形態の変形例に係る温水装置の構成は、注湯管路３０が第１管路３１〜第３管路３３と、流路切替弁３４とを有している点、第１管路３１が一方端において給湯管路２０に接続されているとともに、他方端において流路切替弁３４に接続されている点、第２管路３２が一方端において流路切替弁３４に接続されているとともに、他方端において循環管路１０に接続されている点及び第３管路３３が一方端において流路切替弁３４に接続されている点に関して、第１実施形態に係る温水装置の構成と同様である。
【００６１】
第１実施形態に係る変形例に係る温水装置の構成は、第３管路３３の他方端が第１管路３１に接続されている点及び第３管路３３が逆止弁３３ｃを有していない点に関して、第１実施形態に係る温水装置の構成と異なっている。第１実施形態の変形例に係る温水装置においても、第１実施形態に係る温水装置と同様に、流路切替弁３４（三方弁）の切り替えを行うことにより、第１管路３１を流れる上水を、湯張り動作時に第３管路３３を介して第２管路３２へと流すことができるとともに、洗浄動作時に第３管路３３を介さずに第２管路３２へと流すことができる。
【００６２】
＜第１実施形態に係る温水装置の効果＞
第１実施形態に係る温水装置においては、制御部４０が湯張り動作時に流路切替弁３４を第１状態に制御するため、湯張り動作時には、上水に含まれる添加物が除去され、浴槽６には添加物が除去された上水が供給される。他方で、制御部４０が洗浄動作時に流路切替弁３４を第２状態に制御するため、洗浄動作時には、上水に含まれる添加物が除去されず、洗浄動作が添加物の除去されていない上水により行われる。
【００６３】
上水の添加物が塩素である場合、浴槽６に塩素が除去された上水により湯張りを行うことができるため、入浴者の肌への刺激を軽減することができる。また、この場合、塩素が除去されていない上水で洗浄動作を行えるため、その洗浄効果を高めることができる。
【００６４】
湯張り動作時の流量の累積値が所定の閾値以上となった場合に制御部４０が以後の湯張り動作を行う際に流路切替弁３４を第２状態に制御すれば、フィルタ部３３ｂの詰まりが大きくなり、第３管路３３を介した湯張り動作が困難になる前に、第３管路３３を介さない湯張り動作へ切り替えることが可能となる。
【００６５】
初回の湯張り動作が行われた後に経過した時間が所定の閾値以上となった場合に制御部４０が以後の湯張り動作を行う際に流路切替弁３４を第２状態に制御すれば、フィルタ部３３ｂの詰まりが大きくなり、第３管路３３を介した湯張り動作が困難になる前に、第３管路３３を介さない湯張り動作へ切り替えることが可能となる。
【００６６】
直近の湯張り動作時の流量を直近の洗浄動作時の流量で除した値が所定の閾値以下となった場合に制御部４０が以後の湯張り動作を行う際に流路切替弁３４を第２状態に制御すれば、フィルタ部３３ｂの詰まりが大きくなり、第３管路３３を介した湯張り動作が困難になる前に、第３管路３３を介さない湯張り動作へ切り替えることが可能となる。なお、上水道から供給される上水の元圧は、時季により多少変動するが、このような制御を行う場合、直近の湯張り動作時の流量と直近の洗浄動作時の流量とを比較してフィルタ部３３ｂの詰まり具合を推定するため、上水道から供給される上水の元圧の影響を受けにくい。
【００６７】
直近の湯張り動作時の流量を初回の湯張り動作時の流量で除した値が所定の閾値以下となった場合に制御部４０が以後の湯張り動作を行う際に流路切替弁３４を第２状態に制御すれば、フィルタ部３３ｂの詰まりが大きくなり、第３管路３３を介した湯張り動作が困難になる前に、第３管路３３を介さない湯張り動作へ切り替えることが可能となる。
【００６８】
（第２実施形態に係る温水装置）
第２実施形態に係る温水装置についての説明を行う。
【００６９】
＜第２実施形態に係る温水装置の構成＞
以下に、第２実施形態に係る温水装置の構成を説明する。ここでは、第１実施形態に係る温水装置の構成と異なる点を主に説明し、重複する説明は繰り返さない。
【００７０】
図３に示されるように、第２実施形態に係る温水装置は、注湯管路３０が銀イオン発生器３５をさらに有している。この点に関して、第２実施形態に係る温水装置の構成は、第１実施形態に係る温水装置の構成と異なっており、その余の点に関して、第１実施形態に係る温水装置の構成と共通している。
【００７１】
銀イオン発生器３５は、フィルタ部３３ｂよりも上流側に配置されている。より具体的には、銀イオン発生器３５は、配管３１ｂの経路上に配置されている。銀イオン発生器３５は、銀を含む材料で形成された一対の電極を配管３１ｂの内部に挿入することにより構成されている。この一対の電極は、制御部４０に接続されている。この一対の電極間に電圧を印加するように制御部４０で制御されることにより、配管３１ｂ中を流れる上水に銀イオンが供給される。
【００７２】
なお、第２実施形態に係る温水装置において、タイマ部４２では、初回の湯張り動作が行われた後に経過した時間に加え、直近の銀イオン発生器３５の動作が行われた後に経過した時間も計測されている。
【００７３】
＜第２実施形態に係る温水装置の動作＞
以下に、第２実施形態に係る温水装置の動作を説明する。ここでは、第１実施形態に係る温水装置の動作と異なる点を主に説明し、重複する説明は繰り返さない。
【００７４】
銀イオン発生器３５は、湯張り動作時に動作するように、制御部４０により制御されている。銀イオン発生器３５は、流路切替弁３４が第１状態となっている際に動作することが好ましい。これにより、発生した銀イオンがフィルタ部３３ｂに到達する。銀イオン発生器３５は、湯張り動作が複数回行われるごとに動作することが好ましい。銀イオン発生器３５は、タイマ部４２を参照し、直近に銀イオン発生器３５が動作してから所定の時間が経過した後に再動作することが好ましい。銀イオン発生器３５は、流路切替弁３４が第２状態となっている際に動作してもよい。
【００７５】
＜第２実施形態に係る温水装置の効果＞
以下に、第２実施形態に係る温水装置の効果を説明する。ここでは、第１実施形態に係る温水装置の効果と異なる点を主に説明し、重複する説明は繰り返さない。
【００７６】
第２実施形態に係る温水装置においては、銀イオン発生器３５において発生した銀イオンがフィルタ部３３ｂに供給されるため、フィルタ部３３ｂ周辺における雑菌の繁殖を抑制することができる。
【００７７】
銀イオン発生器３５の動作頻度を増やした場合、フィルタ部３３ｂ周辺における雑菌の繁殖を抑制しやすいが、銀イオンによりフィルタ部３３ｂの性能が低下しやすくなり、フィルタ部３３ｂの寿命が、相対的に短くなるおそれがある。そのため、湯張り動作が所定回数行われるごとに銀イオン発生器３５を動作させることにより、フィルタ部３３ｂ周辺における雑菌の繁殖を抑制しつつ、フィルタ部の寿命の劣化を抑制することができる。また、直近の銀イオン発生器３５の動作から所定の時間が経過した後に銀イオン発生器３５を再動作させることによっても、フィルタ部３３ｂ周辺における雑菌の繁殖を抑制しつつフィルタ部の寿命の劣化を抑制することができる。
【００７８】
今回開示された実施の形態は全ての点で例示であって、制限的なものではないと考えられるべきである。本発明の範囲は、上記した実施形態ではなく、特許請求の範囲によって示され、特許請求の範囲と均等の意味及び範囲内での全ての変更が含まれることが意図される。
【産業上の利用可能性】
【００７９】
上記の実施形態は、上水からの添加物除去機能を有する温水装置に特に有利に適用されるものである。
【符号の説明】
【００８０】
１０  循環管路、１１ａ  配管、１１ｂ  配管、１２  熱交換器、１３  バーナ、１４  ポンプ、２０  給湯管路、２１ａ  配管、２１ｂ  配管、２２  熱交換器、２３  バーナ、３０  注湯管路、３１  第１管路、３１ａ  配管、３１ｂ  配管、３１ｃ  注湯弁、３１ｄ  流量センサ、３２  第２管路、３２ａ  配管、３３  第３管路、３３ａ  配管、３３ｂ  フィルタ部、３３ｃ  逆止弁、３４  流路切替弁、３５  銀イオン発生器、４０  制御部、４１  記憶部、４２  タイマ部、５０  操作部、６  浴槽、６１ａ  配管、６１ｂ  配管、６２  循環アダプタ。
【図１】
2020106167.tif 000003
【図２】
2020106167.tif 000004
【図３】
2020106167.tif 000005